(57)【特許請求の範囲】
【請求項１】
相対する側壁の一方の相対する端部付近に、幅狭ポケットと幅広支柱のペアが形成されているとともに、前記相対する側壁のもう一方の相対する端部付近に、幅狭支柱と幅広ポケットのペアが形成されており、下方の運搬用容器の幅広ポケットに、上方の運搬用容器の幅広支柱を挿入し、下方の運搬用容器の幅狭ポケットに、上方の運搬用容器の幅狭支柱を挿入することにより、上方の運搬用容器を下方の運搬用容器にネスティングすることが可能で、また、上方の運搬用容器の幅狭支柱と幅広支柱を、下方の運搬用容器のフランジに載置することによりスタッキングすることが可能な運搬用容器において、広幅ポケットの正面壁部に、運搬用容器の内部方向に向かうとともに側壁の内面を越えて運搬用容器の内部に突出することがないように膨出部を形成することにより、広幅ポケットには、膨出部により仕切られた垂直方向に延びる２つの凹部が形成されており、また、幅広支柱には、ネスティング時に、広幅ポケットの正面壁部に形成された膨出部が挿入可能な凹部が形成されており、更に、上方の運搬用容器の幅狭支柱を、下方の運搬用容器のフランジに載置するとともに、上方の運搬用容器の幅狭支柱を、下方の運搬用容器の広幅ポケット方向にスライドさせてスライドスタッキングを行う際には、上方の運搬用容器の幅狭支柱が、下方の運搬用容器の広幅ポケットに形成された、膨出部により仕切られた垂直方向に延びる２つの凹部に落ち込むことなく、膨出部に載置されながら、下方の運搬用容器の広幅ポケットを超えるように構成されていることを特徴とする運搬用容器。
【発明の詳細な説明】
【０００１】
【発明の属する技術分野】
本発明は、平面形状が略方形状の運搬用容器（以下、単に、「容器」ともいう。）を上下に積み重ねた際に、上方の容器の略下半分が、下方の容器に嵌合される状態（以下、このような状態を、「ネスティング状態」或いは、単に、「ネスティング」という。）と、上方の容器の下部が、下方の容器の開口部に沿って形成されたフランジに載置される状態（以下、このような状態を、「スタッキング状態」或いは、単に、「スタッキング」という。）とに選択可能な運搬用容器に関するものである。
【０００２】
【従来の技術】
従来、容器の側壁の略上半分を、所定の幅に亘って外側に膨出させて、ポケットを形成するとともに、容器の側壁の少なくとも下半分に、側壁の外面から突出した支柱を形成し、ネスティングの際には、上方の容器の支柱が、下方の容器のポケットに挿入され、また、スタッキングの際には、上方の容器の支柱が、下方の容器のフランジに載置されるようにした運搬用容器が知られている。
【０００３】
【発明が解決しようとする課題】
物品が収納され重くなった従来の容器を、上方の容器の支柱が下方の容器のフランジに載置されるように、スタッキング状態で多段に積み重ねた際に、支柱の幅が狭く、十分な強度を有していないと、支柱が変形したり、座屈したりして、損傷する等の問題があった。このような支柱の損傷は、容器が大きく、また、深くなり、支柱が長くなればなるほど、頻繁に起こり、大きな問題となる。
【０００４】
上述した問題を解消するために、支柱の幅を大きくすると、ネスティングの際に、該支柱が挿入されるポケットの幅も大きくしなければならない。ポケットの幅を大きくすると、所謂、スライドスタッキング（上方の容器の一方の短辺側壁の上部を持ち上げて傾斜させるとともに、上方の容器に形成された支柱を、下方の容器の開口部に沿って形成されたフランジ上をスライドさせながら、上方の容器を、下方の容器にスタッキングさせることを、スライドスタッキングという。）させる際に、下方の容器の幅の広いポケットに、上方の容器の支柱が落ち込み、スライドスタッキングに支障を来すという問題が生じる。
【０００５】
本発明の目的は、上述した従来の運搬用容器が有する課題を解決するとともに、その取扱性の向上した運搬用容器を提供することにある。
【０００６】
【課題を解決するための手段】
本発明は、上述した目的を達成するために、相対する側壁の一方の相対する端部付近に、幅狭ポケットと幅広支柱のペアが形成されているとともに、前記相対する側壁のもう一方の相対する端部付近に、幅狭支柱と幅広ポケットのペアが形成されており、下方の運搬用容器の幅広ポケットに、上方の運搬用容器の幅広支柱を挿入し、下方の運搬用容器の幅狭ポケットに、上方の運搬用容器の幅狭支柱を挿入することにより、上方の運搬用容器を下方の運搬用容器にネスティングすることが可能で、また、上方の運搬用容器の幅狭支柱と幅広支柱を、下方の運搬用容器のフランジに載置することによりスタッキングすることが可能な運搬用容器において、広幅ポケットの正面壁部に、運搬用容器の内部方向に向かうとともに側壁の内面を越えて運搬用容器の内部に突出することがないように膨出部を形成することにより、広幅ポケットには、膨出部により仕切られた垂直方向に延びる２つの凹部が形成されており、また、幅広支柱には、ネスティング時に、広幅ポケットの正面壁部に形成された膨出部が挿入可能な凹部が形成されており、更に、上方の運搬用容器の幅狭支柱を、下方の運搬用容器のフランジに載置するとともに、上方の運搬用容器の幅狭支柱を、下方の運搬用容器の広幅ポケット方向にスライドさせてスライドスタッキングを行う際には、上方の運搬用容器の幅狭支柱が、下方の運搬用容器の広幅ポケットに形成された、膨出部により仕切られた垂直方向に延びる２つの凹部に落ち込むことなく、膨出部に載置されながら、下方の運搬用容器の広幅ポケットを超えるように構成したものである。
【０００７】
以下に、本発明の運搬用容器の斜視図である図１、本発明の運搬用容器の平面図である図２、本発明の運搬用容器が上下に配置された状態の部分斜視図である図３、本発明の運搬用容器が上下に配置された状態の正面図である図４及び本発明の運搬用容器のスライドスタッキング状態の部分斜視図である図５を用いて、本発明の運搬用容器の実施例について説明するが、本発明の趣旨を越えない限り何ら、本実施例に限定されるものではない。
【０００８】
【実施例】
容器Ｂは、相対する長辺側壁１、相対する短辺側壁２及び底部３とを有し、相対する長辺側壁１の一方の相対する端部付近には、長辺側壁１を、所定の幅に亘って、外側に膨出させることにより形成された、容器Ｂの略半分の深さを有する幅狭ポケットｐ１が形成されており、そして、該幅狭ポケットｐ１の容器中央寄りの長辺側壁１の外面には、幅広支柱ｃ１が形成されている。該幅広支柱ｃ１の構造については後述する。また、容器Ｂの相対する長辺側壁１のもう一方の相対する端部付近の外面には、幅狭支柱ｃ２が形成されており、そして、該幅狭支柱ｃ２の容器中央寄りには、長辺側壁１を、所定の幅に亘って、外側に膨出させることにより形成された、容器Ｂの略半分の深さを有する幅広ポケットｐ２が形成されている。該幅広ポケットｐ２の構造については後述する。上記の幅狭ポケットｐ１と幅広支柱ｃ１のペア及び幅狭支柱ｃ２と幅広ポケットｐ２のペアは、長辺側壁１に沿った容器Ｂの中心線に対して対称に配置されている。
【０００９】
容器Ｂの相対する短辺側壁２の一方の短辺側壁２の両端部付近の外面には、所定の幅の支柱ｃ３が形成されており、そして、該支柱ｃ３の容器中央寄りには、短辺側壁２を、所定の幅に亘って、外側に膨出させることにより形成された、一対のポケットｐ３が形成されている。また、もう一方の短辺側壁２の両端部付近には、上記支柱ｃ３と相対するように、上記ポケットｐ３と同様のポケットｐ４が形成されており、そして、該もう一方の短辺側壁２の両端部付近に形成されたポケットｐ４の容器中央寄りには、上記のポケットｐ３と相対するように、上記支柱ｃ３と同様の支柱ｃ４が形成されている。なお、短辺側壁２に形成された上記のようなポケットや支柱を省略することもできる。
【００１０】
容器Ｂの開口部に沿って、長辺側壁１及び短辺側壁２の上端縁からは、外方に水平に延在するフランジ４が形成されている。５は、容器Ｂの略半分の高さに形成された水平に延在する水平リブであり、６は、フランジ４と水平リブ５の間に形成された、水平リブ５と同様の水平リブである。７は、フランジ４、両水平リブ５、６の間の適当な位置に形成された垂直リブである。このような水平リブ５、６や垂直リブ７は、適宜、省略することもできる。
【００１１】
次に、主として、図１及び図３を用いて、上述した幅広ポケットｐ２及び幅広支柱ｃ１の構造について説明する。
【００１２】
広幅ポケットｐ２は、長辺側壁１と略平行な正面壁部ｐ２１と該正面壁部ｐ２１の両端から容器Ｂの内部方向に向かって形成された端壁部ｐ２２とを有しており、正面壁部ｐ２１には、容器Ｂの内部方向に向かって膨出した膨出部ｐ２３が形成されている。膨出部ｐ２３は、長辺側壁１の内面を越えて、容器Ｂの内部に突出することがないように構成されており、また、スライドスタッキング時に、スライドされる上方の容器に形成された支柱が、膨出部ｐ２３の上面に載置されるような突出量となるように構成されている。上記のように、広幅ポケットｐ２には、膨出部ｐ２３により仕切られた垂直方向に延びる２つの凹部ｐ２４、ｐ２５が形成されている。
【００１３】
本実施例においては、幅広支柱ｃ１は、水平リブ５の下面から下方に延在された２本の端部垂直リブ部ｃ２１、ｃ２２と、該端部垂直リブ部ｃ２１、ｃ２２間に配設された中間垂直リブ部ｃ２３と、端部垂直リブ部ｃ２１、ｃ２２と中間垂直リブ部ｃ２３の下端部を連結する水平な下端連結リブ部ｃ２４と、端部垂直リブ部ｃ２１、ｃ２２と中間垂直リブ部ｃ２３とを適当な位置で連結する水平な中間連結リブ部ｃ２５（本実施例においては、２本の中間連結リブ部ｃ２５が形成されている。）と、端部垂直リブ部ｃ２１、ｃ２２の下端に延設され、長辺側壁１の外面からの突出量が、端部垂直リブ部ｃ２１、ｃ２２の突出量より少なく、且つ、スタッキング時に、下方の容器の開口部に嵌合可能なスタックリブｃ２６とから構成されている。また、下端連結リブ部ｃ２４と中間連結リブ部ｃ２５には、図３に示されているように、ネスティングの際に、下方の容器Ｂの広幅ポケットｐ２に形成された膨出部ｐ２３が、挿入可能な凹部ｃ２４’、ｃ２５’が形成されている。
【００１４】
上方の容器Ｂを、下方の容器Ｂに、略半分ほど嵌合させる、即ち、ネスティングする場合には、上方の容器Ｂと下方の容器Ｂが、共に、図２に示されているように、広幅ポケットｐ２が右側に位置する状態から、上方の容器Ｂを、１８０度水平回転させるとともに、下降させる。すると、図３に示されているように、上方の容器Ｂａに形成された幅広支柱ｃ１の下端連結リブ部ｃ２４と中間連結リブ部ｃ２５の凹部ｃ２４’、ｃ２５’に、下方の容器Ｂｂの広幅ポケットｐ２に形成された膨出部ｐ２３が挿入されながら、上方の容器Ｂａの幅広支柱ｃ１が、下方の容器Ｂｂの広幅ポケットｐ２に挿入される。また、上方の容器Ｂの幅狭支柱ｃ２が、下方の容器Ｂの幅狭ポケットｐ１に挿入され、更に、短辺側壁２に、上述したようなポケットや支柱が形成されている場合には、上方の容器Ｂの短辺側壁２に形成された支柱ｃ３、ｃ４が、下方の容器Ｂの短辺側壁２に形成されたポケットｐ３、ｐ４に、それぞれ、挿入されて、ネスティングが完了する。
【００１５】
上方の容器Ｂに形成された支柱ｃ１、ｃ２、ｃ３、ｃ４を、下方の容器Ｂのフランジ４に載置する、即ち、スタッキングする場合には、上方の容器Ｂと下方の容器Ｂが、共に、図２に示されているように、広幅ポケットｐ２が右側に位置する状態から下方の容器Ｂを下降させると、上記のように、上方の容器Ｂに形成された支柱ｃ１、ｃ２、ｃ３、ｃ４が、下方の容器Ｂのフランジ４に載置されてスタッキングが完了することになる。
【００１６】
ところで、上方の容器Ｂａを、下方の容器Ｂｂにスタッキングする際には、上方の容器Ｂａの長辺側壁１に形成された幅狭支柱ｃ２を、下方の容器Ｂｂのフランジ４に載置するとともに、上方の容器Ｂａの一方の短辺側壁２側のフランジ４等を持ち上げて、上方の容器Ｂａを傾斜させた状態で、図４に示されているように、上方の容器Ｂａの幅狭支柱ｃ２を、下方の容器Ｂｂのフランジ４に沿って、図４において右方向にスライドさせて、上方の容器Ｂａを、下方の容器Ｂｂにスタッキングさせること、即ち、スライドスタッキングが行われている。
【００１７】
上述したスライドスタッキングの過程において、スタッキングの完了直前において、上方の容器Ｂａのスライド方向前方の幅狭支柱ｃ２が、下方の容器Ｂｂの広幅ポケットｐ２を通過することになるが、上述したように、広幅ポケットｐ２には、膨出部ｐ２３が形成されているので、図５に示されているように、下方の容器Ｂｂのフランジ４に載置されてスライドしている上方の容器Ｂａの幅狭支柱ｃ２が、下方の容器Ｂｂの広幅ポケットｐ２に形成された膨出部ｐ２３に載置されながら、広幅ポケットｐ２を越えるように構成されているので、上方の容器Ｂａの幅狭支柱ｃ２が、広幅ポケットｐ２に落ち込むようなことがなく、スムースなスライドスタッキングが可能となる。
【００１８】
上述した実施例の説明において、使用した用語「幅広」や「幅狭」は、相対的なものであり、従って、上述したような、広幅ポケットｐ２に形成された膨出部ｐ２３や広幅支柱ｃ１に形成された凹部ｃ２４’、ｃ２５’は、適宜、どのようなポケットや支柱にも形成することができる。
【００１９】
また、上述した実施例においては、幅狭ポケットｐ１と幅広支柱ｃ１のペア及び幅狭支柱ｃ２と幅広ポケットｐ２のペアが、長辺側壁１に沿った容器Ｂの中心線に対して対称に配置された例が示されているが、幅狭ポケットｐ１と幅広支柱ｃ１のペア及び幅狭支柱ｃ２と幅広ポケットｐ２のペアを、底部３の中心点に対して、点対称の位置に配設することもできる。
【００２０】
更に、上述した実施例の幅広支柱ｃ１を構成する中間垂直リブ部ｃ２３や中間連結リブ部ｃ２５は、適宜、省略することができる。また、幅広ポケットｐ２に１個の膨出部ｐ２３を形成した例を説明したが、２個以上形成することもできる。
【００２１】
【発明の効果】
本発明は、以上説明したように構成されているので、以下に記載する効果を奏することができる。
【００２２】
上方の容器の支柱が、下方の幅の広いポケットに落ち込むようなことがなく、スムースなスライドスタッキングが可能となる。
【図面の簡単な説明】
【図１】図１は本発明の運搬用容器の斜視図である。
【図２】図２は本発明の運搬用容器の平面図である。
【図３】図３は本発明の運搬用容器が上下に配置された状態の部分斜視図である。
【図４】図４は本発明の運搬用容器が上下に配置された状態の正面図である。
【図５】図５は本発明の運搬用容器のスライドスタッキング状態の部分斜視図である。
【符号の説明】
Ｂ・・・・・・・・運搬用容器
ｃ１・・・・・・・幅広支柱
ｃ２・・・・・・・幅狭支柱
ｐ１・・・・・・・幅狭ポケット
ｐ２・・・・・・・幅広ポケット
【図１】
0003926875.tif 000002
【図２】
0003926875.tif 000003
【図３】
0003926875.tif 000004
【図４】
0003926875.tif 000005
【図５】
0003926875.tif 000006